(57)【要約】      （修正有）【課題】歯磨きやうがいが終わった後のコップおよび歯ブラシの保管状態が衛生上好ましい把手付きうがい用コップを提供する。【解決手段】把手付きうがい用コップ１の開口１４に平坦部１９と飲み口となる湾曲状の凹み部２３とを設け、さらに把手３０の上側端部の上側貫通孔３７と、下側端部の下側貫通孔３９とを向かい合わせて設けた。洗面化粧台などの棚Ｔに把手付きうがい用コップを載置して衛生的に保管できると共に、上側貫通孔と下側貫通孔に歯ブラシＨを挿通して、把手付きうがい用コップとセットで保管することができる。【選択図】図９
0003208260.tif 000002
【実用新案登録請求の範囲】
【請求項１】
筒形有底に形成され、上端が開口されてなる容体と、
前記容体の外側面の上端部から上側端部が延出してなると共に、中央持ち手部が下方に向かって屈曲されて、前記外側面との間に手指が挿通可能な空間を形成し、下側端部が前記外側面の下端部に連接されて設けられてなる把手と、を備え、
前記容体の開口は、前記把手に近接する部分、及び前記把手に対向する部分が水平な平坦部に形成され、前記把手から見て側方部分が前記平坦部よりも下方に湾曲してなる凹み部に形成されると共に、前記平坦部と前記凹み部とが滑らかな曲線で連続されてなり、
前記把手は、前記上側端部を上下方向に貫通してなる上側貫通孔と、前記下側端部を上下方向に貫通してなる下側貫通孔とを有してなる、
ことを特徴とする把手付きうがい用コップ。
【考案の詳細な説明】
【技術分野】
【０００１】
本考案は、歯磨きのときに使用するうがい用コップであって、歯磨きとうがいが終わった後の保管状態が衛生的な把手付きうがい用コップに関する。
【背景技術】
【０００２】
従来から歯磨きが終わると、うがいに使ったコップの容体部分に、歯ブラシなどを入れて保管されていた（特許文献１参照）。
【先行技術文献】
【特許文献】
【０００３】
【特許文献１】特開２０００−２３７０７１号公報
【考案の概要】
【考案が解決しようとする課題】
【０００４】
しかしながら、コップが上向きでの保管となるために、コップの水切りが悪く、さらに、空気中の埃がコップ内に入り込むなどの恐れがあり、毎日使う歯磨き用のコップとしては、衛生上好ましくないという課題があった。
【０００５】
また、コップを逆さの下向きで保管した場合、洗面化粧台などのコップを置く棚にコップの開口の全周が接触することにより、コップの飲み口が汚れる恐れもあり、上記と同様に、衛生上好ましくないという課題もあった。
【０００６】
同じく、コップを逆さの下向きで保管した場合、洗面化粧台などのコップを置く棚にコップの開口の全周が接触することにより、水切りが悪くなり、乾燥しにくいという課題があった。
【課題を解決するための手段】
【０００７】
そこで、上記課題を解決するための手段として本考案に係る把手付きうがい用コップは、筒形有底に形成され、上端が開口されてなる容体と、前記容体の外側面の上端部から上側端部が延出してなると共に、中央持ち手部が下方に向かって屈曲されて、前記外側面との間に手指が挿通可能な空間を形成し、下側端部が前記外側面の下端部に連接されて設けられてなる把手と、を備え、前記容体の開口は、前記把手に近接する部分、及び前記把手に対向する部分が水平な平坦部に形成され、前記把手から見て側方部分が前記平坦部よりも下方に湾曲してなる凹み部に形成されると共に、前記平坦部と前記凹み部とが滑らかな曲線で連続されてなり、前記把手は、前記上側端部を上下方向に貫通してなる上側貫通孔と、前記下側端部を上下方向に貫通してなる下側貫通孔とを有してなることを特徴とする。
【０００８】
これにより、歯磨きをするときのうがい用コップとして使用することができ、コップが置かれる洗面化粧台などの棚にコップを逆さの下向きに載置して保管する場合、棚と前記水平な平坦部が接触することで安定してコップを置くことができる。
【０００９】
また、棚と前記凹み部の間に滑らかな曲線からなる湾曲状の隙間ができることにより、前記凹み部が棚に接触しなくなるので、コップの飲み口となる前記凹み部が汚れることもない。また、水切りも良くなり、さらに、その隙間を通して空気の循環が良くなって、コップの乾燥が早くできる。
【００１０】
また、前記凹み部が前記把手から見て左右両側に形成されてなるものであっても好ましい。
【００１１】
これにより、うがいする際に右手で持っても左手で持っても、コップの飲み口を手前にして用いることができる。
【００１２】
また、前記把手に形成された前記上側貫通孔と前記下側貫通孔とは、向かい合うように形成されてなることが好ましい。前記上側貫通孔と前記下側貫通孔とを歯ブラシスタンドとして使用する際に、歯ブラシや電動歯ブラシの柄の部分を前記上側貫通孔及び前記下側貫通孔に容易に挿通して立て掛けることができる。この場合、コップは上向きでも良く、逆さの下向きであっても良い。
【００１３】
また、このコップは、無色透明のＡＢＳ樹脂で一体成型された成型品であっても好ましい。これにより、軽くて丈夫ながらも、ガラスのような光沢と透明感を再現でき、高級感を醸し出すことができる。また、無色透明以外にも薄く着色した有色透明の成型品であっても良い。
【００１４】
また、前記把手は、前記中央持ち手部の幅方向の中央部分が滑らかな曲線で形成された括れ部を有しても好ましい。これにより、手指の小さい子供が使用する場合でも括れ部を持ち易くなる。
【考案の効果】
【００１５】
本考案によれば、把手付きうがい用コップに飲み口となる湾曲状の凹み部を設けたことにより、洗面化粧台などの略水平の棚などにコップを逆さに置いても、凹み部と棚との間に隙間ができることで、飲み口が棚と接触することがなくなり衛生的である。
【００１６】
また、水洗後の水滴が付着したコップを逆さの下向きにして置いても、平坦部を設けてなるので安定して置くことができる。
【００１７】
また、空気がコップ内を循環することにより、凹み部と棚との間にできる隙間を通して水切りが良くなり、コップを早く乾燥させることもできる。
【００１８】
また、洗面化粧台の棚などに置いたコップが上向き、或いは逆さの下向きのいずれの向きであっても、上側貫通孔と下側貫通孔を備える把手を歯ブラシスタンドとしての使用が可能となり、歯ブラシ、または電動歯ブラシを両貫通孔に挿通することにより立て掛けることができる。これにより、使用後の歯ブラシを保管するために、コップの容体内に歯ブラシを挿し入れずに済むので、コップの容体内部と歯ブラシの柄との接触による汚れが付着することを回避できる。
【００１９】
さらにまた、コップと歯ブラシとをセットで保管できるので、家庭内においても各人で専用化することができるために、歯ブラシの取り間違えを防止できる。
【図面の簡単な説明】
【００２０】
【図１】本考案の一実施例を示す図であり、把手付きうがい用コップの正面図である。
【図２】本考案の一実施例を示す図であり、把手付きうがい用コップの平面図である。
【図３】本考案の一実施例を示す図であり、把手付きうがい用コップの右側面図である。
【図４】本考案の一実施例を示す図であり、把手付きうがい用コップの左側面図である。
【図５】本考案の一実施例を示す図であり、把手付きうがい用コップの底面図である。
【図６】図１のＡ−Ａ断面図である。
【図７】図１のＢ−Ｂ断面図である。
【図８】図２のＣ−Ｃ断面図である。
【図９】本考案の一実施例の使用状態を示す参考図であり、把手付きうがい用コップを逆さの下向きにして、歯ブラシを上側貫通孔と下側貫通孔に立て掛けた状態の正面図である。
【図１０】本考案の一実施例の使用状態を示す参考図であり、把手付きうがい用コップを上向きにして、歯ブラシを上側貫通孔と下側貫通孔に立て掛けた状態の正面図である。
【考案を実施するための形態】
【００２１】
以下、本考案に係る実施の形態を、図１乃至図１０を参照しながら詳しく説明する。
【００２２】
図１乃至図８に示すように、本考案の把手付きうがい用コップ１は、容体１０と把手３０から構成されてなり、透明のＡＢＳ樹脂の一体成型による成型品で形成されてなることにより、軽くて、落としても割れない丈夫さがあり、ガラスのような肌合いを感じることができる。
【００２３】
図１に示すように、容体１０は、上端が開口１４されて筒形有底に形成されてなるコップ形状の透明な容器からなり、容体１０の外側面１３の上端部１１から上側端部３１が延出してなると共に、中央持ち手部３５が下方に向かって屈曲されて、外側面１３との間に手指が挿通可能な空間Ｋを形成し、下側端部３３が外側面１３の下端部１２に連接されて設けられてなる把手３０を備えてなる。
【００２４】
図１乃至図４、図６および図８に示すように、容体１０の開口１４は、把手３０に近接する部分１５及び把手３０に対向する部分１７が水平な平坦部１９，１９に形成され、把手３０から見て側方部分２１，２１が平坦部１９，１９よりも下方に湾曲してなる凹み部２３，２３に形成されると共に、平坦部１９，１９と凹み部２３，２３とが滑らかな曲線で連続されてなる。
【００２５】
図２に示すように、相対する平坦部１９，１９と相対する凹み部２３，２３とが直交して配置されることにより、容体１０に円形の開口１４が形成されてなり、滑らかな曲線で形成されてなる凹み部２３，２３が歯磨きでうがいをするときの飲み口となる。
【００２６】
これにより、飲み口となる凹み部２３が把手３０に対して、コップを上から見た平面視で略直角となるので、うがいする際に右手で持っても左手で持っても、人の口の手前側に飲み口を自然と向けることができる。
【００２７】
図２、図３、図５および図７に示すように、把手３０は、上側端部３１を上下方向に貫通してなる円形の上側貫通孔３７と、下側端部３３を上下方向に貫通してなる円形の下側貫通孔３９とを向かい合わせて有してなり、歯ブラシＨや電動歯ブラシの柄の部分が挿通できる程度の孔径を有してなる。
【００２８】
また、図３に示すように、把手３０は、中央持ち手部３５の幅広方向の中央部分が滑らかな曲線で形成された括れ部３２を有してなり、手指の小さい子供にとって括れ部３２が持ち易い形状となる。
【００２９】
図６および図８に示すように、容体１０は、開口１４から底部１６に下がっていくほど徐々に肉厚が厚くなるように形成されてなることにより、ガラスのような高級感を醸し出すことができると共に、上下方向の重量バランスも調整されてなる。
【００３０】
次に、本考案の把手付きうがい用コップ１の使用状態について、図９および図１０を参照しながら詳しく説明する。
【００３１】
図９に示すように、洗面化粧台などの棚Ｔに把手付きうがい用コップ１を逆さの下向きに置いた際、棚Ｔと平坦部１９，１９が接触することで安定してコップを置くことができると共に、棚Ｔと凹み部２３の間に隙間Ｓができることにより、飲み口である凹み部２３が棚Ｔに接触しない置き方ができる。
【００３２】
そのことにより、隙間Ｓを通して空気の循環も良くなってコップの水洗い後の水切りが良く乾燥が早くなる。さらに、飲み口である凹み部２３に棚Ｔの汚れが付くこともなく、歯磨きとうがいが終わった後の保管状態が衛生的に好ましい把手付きうがい用コップ１を提供できる。
【００３３】
また、歯ブラシＨを上側貫通孔３７と下側貫通孔３９に立て掛けて保管することができることにより、歯ブラシＨと把手付きうがい用コップ１を各人毎に専用化できるために、コップと歯ブラシの取り間違えを防止できる。
【００３４】
また、図１０に示すように、洗面化粧台などの棚Ｔに把手付きうがい用コップ１を上向きに置いても良い。そのことにより、上記と同様に、歯ブラシＨを上側貫通孔３７と下側貫通孔３９に立て掛けて保管することができる。
【００３５】
以上説明したように、把手付きうがい用コップ１の開口１４に平坦部１９と飲み口となる湾曲状の凹み部２３とを設け、さらに把手３０に上側貫通孔３７と下側貫通孔３９を設けたことにより、洗面化粧台などの棚Ｔに把手付きうがい用コップ１と歯ブラシＨを衛生的に保管できると共に、家庭内であっても各人毎の専用化でコップと歯ブラシの取り間違えを未然に防止できる。
【符号の説明】
【００３６】
１    把手付きうがい用コップ
１０    容体
１１    上端部
１２    下端部
１３    外側面
１４    開口
１５    近接する部分
１６    底部
１７    対向する部分
１９    平坦部
２１    側方部分
２３    凹み部
３０    把手
３１    上側端部
３２    括れ部
３３    下側端部
３５    中央持ち手部
３７    上側貫通孔
３９    下側貫通孔
Ｈ    歯ブラシ
Ｋ    空間
Ｓ    隙間
Ｔ    棚
【図１】
0003208260.tif 000003
【図２】
0003208260.tif 000004
【図３】
0003208260.tif 000005
【図４】
0003208260.tif 000006
【図５】
0003208260.tif 000007
【図６】
0003208260.tif 000008
【図７】
0003208260.tif 000009
【図８】
0003208260.tif 000010
【図９】
0003208260.tif 000011
【図１０】
0003208260.tif 000012